(57)【要約】      （修正有）【課題】刀型ヒューズをテストし、クリップするためのランプを有する携帯装置を提供する。【解決手段】当該装置から延びる二つのプローブ、該ハンドルの一端上に形成されるクランプ、及び該ヒューズの状態を表示するための表示器を有するハンドルを含む。該プローブの一つは該ハンドル上に移動できるように配置され、これにより二つのプローブ間の分離調整が可能となる。最後に該ハンドルの一側面は第一ランプがあり、これは該プローブに平行に配置され、そしてテストされる該ヒューズを照らすため該回路基板へ電気的に接続される。該ハンドルのもう一つの側面は第二ランプがあり、これは該クランプに平行に配置され、そして引き出される該ヒューズを照らすため該回路基板へ電気的に接続される。【選択図】図１
0003119110.tif 000002
【実用新案登録請求の範囲】
【請求項１】
その一端上に形成されるクランプを有するハンドル、該ハンドルに配置される回路基板からなる該ハンドル、該回路基板へ電気的に接続されそして該ハンドルから外へ延びる二つのプローブ、テストされるヒューズが切れているかどうかを表示するための該ハンドルの外側に露出する表示ユニットからなり、そこで該ハンドルの一側面は、該プローブに平行に配置されそしてテストされる該ヒューズを照らすため該回路基板へ電気的に接続される第一ランプらなり、該ハンドルの一側面は、該クランプに平行に配置されそして引き出される該ヒューズを照らすため該回路基板へ電気的に接続される第二ランプらなる、刀型ヒューズをテストするための携帯装置。
【請求項２】
該スイッチが電子スイッチである請求項１に挙げるような装置。
【請求項３】
該スイッチは機械スイッチである請求項１に挙げるような装置。
【請求項４】
該プローブの最低一つは該二つのプローブ間の分離を調整するため、該ハンドル上に調整可能なように配置される請求項１に挙げるような装置。
【請求項５】
最低一つの直線状のスライド溝が該ハンドルの該前端上に形成され、該調整可能なプローブが該スライド溝から延びそして該スライド溝で水平に移動できる、請求項４に挙げるような装置。
【請求項６】
該ランプは光放射ダイオードからなる請求項１に挙げるような装置。
【請求項７】
該第一ランプは該プローブにほぼ平行な請求項１に挙げるような装置。
【請求項８】
該第二ランプは該ランプにほぼ平行な請求項１に挙げるような装置。
【考案の詳細な説明】
【考案の詳細な説明】
【０００１】
〔技術分野〕
本考案は一般に刀型ヒューズテスターに関し、特にランプを有する刀型ヒューズテスターに関する。
【０００２】
電気は現代人の日常生活において動力の最も重要な源である。電気装置は人間生活の全側面に広く適用できる。しかし電気装置回路を流れる電流は時々持続可能限度を超え、これが電気装置を損傷し又は火災を起こすだろう。このような危険を防止するため、ヒューズはしばしば回路と直列接続を形成するように使用される。従ってヒューズは大部分の電気装置と共存する。特に自動車産業においてヒューズは自動車と一体化した部分である。自動車の大部分のヒューズはヒューズボックスの中に集められ、この中に多くの刀型ヒューズが入れられ、各刀型はその中に収納されるヒューズを有する。
【０００３】
市場で調達できるヒューズには現在二つの型がある。一つは円筒型ヒューズで、一方もう一つは刃型ヒューズである。円筒型ヒューズは細い円筒型チューブを含み、その中に包まれた壊れやすい金属ワイヤーが入っている。刀型ヒューズは比較的平らで、その中にヒューズボックスの雌型端子へ挿入できる一対の雄型導通端子が入っている。自動車産業では、刀型ヒューズはより好まれている。
【０００４】
回路内で良き電気接続を維持するため、ヒューズはしばしばヒューズボックスへしっかりとはめ込まれ、これが切れたヒューズを交換することを困難にする。更に、例えばダッシュボードの下、エンジンカバーの下、又はしばしばエンジン部分の後のような接近が困難な場所にしばしば配置される。従ってユーザーがヒューズボックスから切れた刀型ヒューズを容易に取り出せるように米国特許番号１０５３７７０にてヒューズクリップが考案および開示されている。更にユーザーが単一の道具で二つの異なる作業ができるようにするヒューズクリップとヒューズテスターの組み合わせが台湾特許番号１５４２４６で考案および開示されている。
【０００５】
しかしヒューズテストの作業は十分な照明がない環境下でしばしば行われる。このため付加的照明源が必要とされる。このような状況下で、ユーザーは片手を懐中電灯をつかむのにとられ、もう一方の手はヒューズテスターを保持するのに使われる。ヒューズテストのためのこのような簡単な作業がこうして不必要に困難になる。
【考案の開示】
【０００６】
本考案はランプを有するヒューズテスターを提供することで、これは刀型ヒューズのチェックに適用できる。テスターは回路基板へ電気的に接続される二つのプロ―グ、及びその一端に形成されるクランプからなる。二つのランプがテスターの前端及び後端に相対して配置される。前ランプはヒューズテスト作業を行う時にヒューズを照らし、一方後ランプは切れたヒューズを引き出そうとする時にそれを照らす。従って暗い環境でテスト作業が行われる時、付加懐中電灯は必要ない。
【０００７】
更にこの考案のテスターの一端はランプを有するため、切れたヒューズが検知された時それを容易に引き出すことができる。ところで、プローブ間の分離はスライド式に調整ができ、それは構造的に簡単でかつ製造が容易である。
【０００８】
本考案は多くの有利な点を含む。それは単に安全性が高くそして便利であるだけではなく、僅かな単純ステップのみでヒューズテストを実行することもできる。製造業者にとっては、本考案のヒューズテスターは構造的に簡単でかつ組立が容易であり、これにより製造コストを大いに削減できる。
【０００９】
要約すれば、刀型ヒューズのテスト及びクリップのためのランプを有するヒューズテスターは、そこから延びる二つのプロ―ブを有するハンドル、ハンドルの一端上に形成されるクランプ及びヒューズの状態を表示するための表示器からなる。プローブの一つはハンドル上に移動可能なように配置され、これにより二つのプローブ間の分離調整を可能にする。最後にハンドルの一側面には第一のランプがあり、これはプロ―ブに平行に配置され、そしてテストされるヒューズを照らすため回路基板へ電気的に接続される。ハンドルのもう一つの側面は第二のランプがあり、これはクランプに平行に配置され、そして引き出されるヒューズを照らすため、回路基板に電気的に接続される。
【００１０】
本考案の特徴及び技術内容をより良く理解するため、本考案はこの後、付属図面を組み込むことにより詳細に記述する。しかし付属図面は説明と記述の便のためだけであり、これに限定することを意図するものではない。
【００１１】
図１に関して、本考案のヒューズテスターはハンドル１１、ハンドル１１の一端に形成されるクランプ１３を含む。クランプ１３は互いに対面するクランプの前端の内側に形成される二つのフック１３Ａからなる。クランプ１３は縦方向障壁１３Ｂも含む。クランプ１３は古い又は切れたヒューズを取り出し、そして新しいヒューズを保持するために使用される。フック１３Ａはヒューズボックスの中のヒューズを掴み、そしてそこからヒューズを取り出すことができる。反対にフック１３Ａは新しいヒューズを掴みそして障壁１３Ｂとの連携により新しいヒューズをヒューズボックスへ挿入できる。
【００１２】
再度図１に関して、第一プローブ２１Ａはハンドル１１の他端上の第一プローブ溝２３Ａから延びそしてこれに取り付けられる。第二プローブ２１Ｂは調整ノブ２９と接続され、そしてこれにより制御され、第二プローブ溝２３Ｂに可動できるように配置される。第二プローブ溝２３Ｂはハンドル１１の前端に形成される溝を通って直線状であるので、第二プローブ２１Ｂは溝に沿ってこうして直線的に滑ることができる。第二プローブ２１Ｂはヒューズ寸法に応じ所定距離を置いて第一プローブ２１Ａと分離される。
【００１３】
図１によると、電子テスト回路（表示無し）はハンドル１１に配置され、光放射ダイオード（ＬＥＤ）表示器のように表示ユニット２７へ電気的に接続される。ＬＥＤ表示器２７はユーザーがテスト結果を読み取れるように、ハンドル１１の外側に露出する。回路の前端は二つのプローブ２１Ａ、２１Ｂへ電気的に接続され、ハンドル１１のプローブ溝２３Ａ、２３Ｂから筐体の外へ突出する。
【００１４】
図１に示すように、ハンドル１１の前端及び後端は夫々第一ランプ３１及び第二ランプ３３を含む。電源スイッチ２５はランプ３１、３３のオンオフに使用される。電源スイッチ２５は三つの調整可能区分を有する電子制御スイッチである。電源スイッチ２５はそれらをより明るく、デイマー又は完全オフにするように二つのランプ３１、３３を制御できる。ユーザーは次に異なる作業環境に対し、ランプ３１、３３の照度を自由に選択できる。この特別な実施例において、ランプ３１、３３は光放射ダイオードであり、電力消費がより経済的である。
【００１５】
図２に関して、本考案のヒューズテスターの側面図が図解される。示すように本考案のヒューズテスターは、その一端に形成されるクランプ１３を含む。クランプ１３は互いに対面する一対の変形体を有する。フック１３Ａ及び縦方向障壁１３Ｂは各変形体の前端に形成される。更にランプ３１、３３は夫々ハンドル１１の前端及び後端に配置される。従って第一ランプ３１はプローブがヒューズテスト中に使用され、一方第二ランプ３３はクランプ１３がヒューズを除去又は挿入中に使用される。
【００１６】
図３に関し、本考案のヒューズテスターの上面図が図解される。示すように第二プローブ２１Ｂは、第二プローブ２１Ｂに垂直なハンドル１１上に形成される調整ノブ２９により制御される。調整ノブ２９はスライド溝１９内を直線的に滑り、これによりそれと共に第二プローブ２１Ｂを動かす。示すようにスライド溝１９は直線状の穴としてハンドル１１上に形成される。ところで、少し広いノッチ１９Ａ、１９Ｂ及び１９Ｃがスライド溝１９上に形成される。次に調整ノブ２９は、スライド溝１９に沿って移動中にノッチ１９Ａ、１９Ｂ及び１９Ｃの一つに一次的に固定することができる。即ち第二プローブ２１Ｂの位置は三つの異なる区分に固定できる。この技術に普通に精通する人にはいくつの数のノッチを有するスライド溝でもこの考案の範囲に入ると考えられることは認識されるだろう。
【００１７】
図４及び図５はヒューズテスターがヒューズをテスト中である図解である。ヒューズ（表示無し）は刀型ヒューズ５に配置される。二つの電極５１Ａ、５１Ｂが刀型ヒューズ５上に形成される。テスト実行中に、調整ノブ２９はノッチに固定され、これによりプローブ２１Ａ、２１Ｂの分離を電極５１Ａ、５１Ｂのそれと同一にする。この特別な実施例において、調整ノブはノッチ１９Ａに固定され、プローブの分離を最大とする。更に図４に示すように第一プローブ２１Ａは第一電極５１Ａと接触する一方、第二プローブ２１Ｂは第二電極５１Ｂと接触し、これにより二つのプローブとテストされるヒューズを電気的に接続する。ＬＥＤランプ２７はヒューズが切れているかどうかを決定するために使用される。ユーザーは第一ランプ３１をオンにするため電源スイッチ２５を押すことができる。照明光はヒューズテストの実行を促進する。
【００１８】
一方図５に示すように、切れたヒューズが発見された時、刀型ヒューズ５をクリップするためにフック１３Ａを使用するように、本考案のヒューズテスターを直ちに逆にすることができる。次に刀型ヒューズ５を障壁１３Ｂとフック１３Ａの間で固定することができる。こうして切れた刀型ヒューズ５を容易に引き出すことができる。同様に新しい刀型ヒューズを逆手順に従い元の位置に挿入し直す。ユーザーは除去手順を助けるように、第一ランプ３１をオフにし、そして第二ランプ３３をオンにするため再度電源スイッチを押すことができる。
【００１９】
本考案の第一ランプ３３はプローブの方向と同一の方向に沿うことが望ましいことが注目される。従って第一ランプ３３はプローブに平行な位置に配置することもできる。同様に第二ランプ３３はクランプ１３の補助部分として使用され、それはクランプ１３のそれに平行ないかなる位置にも配置することもできる。
【００２０】
図６は本考案の別側面によるヒューズテスターを図解する。示すように電源スイッチ２５は三つの区分制御を有する機械スイッチを含む。三区分制御は１）第一ランプのオフ、２）第一ランプのオン、及び３）第二ランプのオンからなる。従ってユーザーは第一ランプのオン、第二ランプのオン、又は両ランプのオフのいづれかを選択できる。この技術に普通に精通する人には上に開示したような、それらの特徴を考慮して色々な同等の変更又は修正を直ぐに見出すことができるので、本考案の範囲は以下の請求項に定義されることが認められる。従って以下の請求項で説明するように本題目から離れることなく、このような同等の変更又は修正の全ては、本考案の精神及び範囲の中にあると考えられる。
【図面の簡単な説明】
【００２１】
【図１】は本考案のヒューズテスターの斜視図である。
【図２】は本考案のヒューズテスターの側面図である。
【図３】は本考案のヒューズテスターの上面図である。
【図４】はヒューズが本考案のヒューズテスターによりテストされる様子を図解する斜視図である。
【図５】はヒューズが本考案のヒューズテスターによりクリップされる様子を図解する斜視図である。
【図６】は本考案の別の実施例によるヒューズテスターの斜視図である。
【符号の説明】
【００２２】
５：刀型ヒューズ
１１：ハンドル
１３：クランプ
１３Ａ：フック
１３Ｂ：縦方向障壁
１９：スライド溝
１９Ａ、１９Ｂ、１９Ｃ：ノッチ
２１Ａ：第一プローブ
２１Ｂ：第二プローブ
２３Ａ：第一プローブ溝
２３Ｂ：第二プローブ溝
２５：電源スイッチ
２７：表示ユニット
２９：調整ノブ
３１、３３：ランプ
５１Ａ、５１Ｂ：電極
【図５】
0003119110.tif 000003
【図６】
0003119110.tif 000004
【図１】
0003119110.tif 000005
【図２】
0003119110.tif 000006
【図３】
0003119110.tif 000007
【図４】
0003119110.tif 000008